(57)【要約】【課題】作業者の手動操作なしにシャッタ板を上昇又は下降させることができる除雪機の前部シャッタ機構を提供することを課題とする。【解決手段】前部シャッタ機構２０の左部２１は、オーガハウジング１９の左側板２２にピン２５を介して上下揺動自在に止める左レバー２７と、左レバー２７の前部２８に固定したピン３２とオーガハウジング１９の天板３３に設けたピン３６とを連結し、リンク３７、３８でＶ字を呈し、Ｖ字の谷の角度が変更自在な左Ｖ字連結リンク４１と、このリンク４１に設ける第１シャッタ板４９と、左レバー２７の先端５１に鉛直姿勢からストッパ２９に当ててなる水平姿勢まで回転可能に取付ける第２シャッタ板５３とからなる。【効果】作業者の手動操作なしに第２シャッタ板５３及び第１シャッタ板４９を上昇又は下降させることができる除雪機１０の前部シャッタ機構２０を提供することができる。【選択図】図２
2008285896.tif 000002
【特許請求の範囲】
【請求項１】
オーガハウジングに設けられ、非除雪作業中にオーガハウジングの前部開口を閉じ、除雪作業中にオーガハウジングの前部開口を開く除雪機の前部シャッタ機構において、
この前部シャッタ機構は、前記オーガハウジングの左壁部及び右壁部に、ピンを介して上下揺動自在に止められると共に前方へ延びている左レバー及び右レバーと、前記オーガハウジングの前記ピンより高い部位と前記左レバーの前部とを連結し、Ｖ字を呈し、このＶ字の谷の角度が変更自在である左Ｖ字連結リンクと、前記オーガハウジングの前記ピンより高い部位と前記右レバーの前部とを連結し、Ｖ字を呈し、このＶ字の谷の角度が変更自在である右Ｖ字連結リンクと、この右Ｖ字連結リンクと前記左Ｖ字連結リンクとに水平に渡した第１シャッタ板と、前記左レバーの先端と右レバーの先端とに水平に渡した第２シャッタ板とからなり、
この第２シャッタ板を介して左レバー及び右レバーの先端に上向き力が作用すると、第２シャッタ板及び第１シャッタ板が上昇してオーガハウジングの前部開口が開かれ、前記上向き力が消失すると自重で、第２シャッタ板及び第１シャッタ板が下降してオーガハウジングの前部開口が閉じられることを特徴とする除雪機の前部シャッタ機構。
【請求項２】
前記第２シャッタ板は、鉛直姿勢から水平姿勢まで回転可能に前記左レバーの先端と右レバーの先端に設けられていることを特徴とする請求項１記載の除雪機の前部シャッタ機構。
【請求項３】
前記左レバー及び右レバーは、前記オーガハウジングの左壁部及び右壁部から斜め上へ延ばされていることを特徴とする請求項１又は請求項２記載の除雪機の前部シャッタ機構。
【発明の詳細な説明】
【技術分野】
【０００１】
本発明は、オーガハウジングに設けられ、非除雪作業中にオーガハウジングの前部開口を閉じ、除雪作業中にオーガハウジングの前部開口を開く除雪機の前部シャッタ機構に関するものである。
【背景技術】
【０００２】
オーガ式除雪機は、前進してオーガハウジングの前部開口から雪を取り込み、取り込んだ雪を左右のオーガで中央に集め、集めた雪をブロワに送り、ブロワで加速させて雪をシュータから排出する。除雪作業中は、オーガハウジングの前部開口は雪で塞がれた形態となる。一方、非除雪作業中は、オーガハウジングの前部開口は開いたままとなる。
【０００３】
例えば、オーガ式除雪機が雪の山から隣りの雪の山へ除雪済みの路面を移動するときには、前部開口は開いたままであり、路上放置物などがオーガハウジング内へ入る可能性がある。そこで、非除雪作業中には、前部開口を閉じておくことが望まれる。
【０００４】
オーガハウジングの前部開口を閉じることができる除雪機が提案されている（例えば、特許文献１参照。）。
【特許文献１】実用新案登録第３１０７０３９号公報（図１）
【０００５】
特許文献１を次図に基づいて説明する。
図５は従来の技術の基本構成を説明する図であり、（ａ）にて、除雪機１００は、オーガ１０１と、このオーガ１０１を覆うオーガハウジング１０２と、このオーガハウジング１０２に設ける前部シャッタ機構１０３とを備えている。この前部シャッタ機構１０３は、オーガハウジング１０２の上面に取り付けられるギヤードモータ１０４と、このギヤードモータ１０４の出力軸に取り付けられるチェーン１０５と、このチェーン１０５の先端に連結されると共にオーガハウジング１０２の前面に取り付けた支持板１０６に回転可能に連結されるシャッタ板１０７とで構成される。
【０００６】
（ｂ）は前部シャッタ機構１０３の作用図であり、例えば運転者が上昇ボタンを押してギヤードモータ１０４を起動させ、チェーン１０５がギヤードモータ１０４により引かれることでシャッタ板１０７を上昇させている。これでオーガ１０１は剥き出しになるので除雪を行うことができる。また、除雪後に運転者が下降ボタンを押してギヤードモータ１０４を起動させ、チェーン１０５がギヤードモータ１０４により除雪機１００の前方へ戻されることで、シャッタ板１０７を矢印のように下降させることができる。これで前部シャッタ機構１０３は（ａ）の状態に戻る。
【０００７】
ところで、特許文献１の除雪機１００では、運転者は、除雪機１００の運転と並行して前部シャッタ機構１０３のシャッタ板１０７の上昇又は下降を手動で操作することがある。このような除雪機１００は、運転者に例えば除雪前にシャッタ板１０７を下降させる、又は除雪後にシャッタ板１０７を上昇させるといった手動による誤操作を誘発させる。これでは、前部シャッタ機構１０３の操作性の悪化を招く。
【０００８】
そのため、運転者（作業者）の手動操作なしにシャッタ板を上昇又は下降させることができる除雪機の前部シャッタ機構の開発が求められる。
【発明の開示】
【発明が解決しようとする課題】
【０００９】
本発明は、作業者の手動操作なしにシャッタ板を上昇又は下降させることができる除雪機の前部シャッタ機構を提供することを課題とする。
【課題を解決するための手段】
【００１０】
請求項１に係る発明は、オーガハウジングに設けられ、非除雪作業中にオーガハウジングの前部開口を閉じ、除雪作業中にオーガハウジングの前部開口を開く除雪機の前部シャッタ機構において、この前部シャッタ機構は、前記オーガハウジングの左壁部及び右壁部に、ピンを介して上下揺動自在に止められると共に前方へ延びている左レバー及び右レバーと、前記オーガハウジングの前記ピンより高い部位と前記左レバーの前部とを連結し、Ｖ字を呈し、このＶ字の谷の角度が変更自在である左Ｖ字連結リンクと、前記オーガハウジングの前記ピンより高い部位と前記右レバーの前部とを連結し、Ｖ字を呈し、このＶ字の谷の角度が変更自在である右Ｖ字連結リンクと、この右Ｖ字連結リンクと前記左Ｖ字連結リンクとに水平に渡した第１シャッタ板と、前記左レバーの先端と右レバーの先端とに水平に渡した第２シャッタ板とからなり、この第２シャッタ板を介して左レバー及び右レバーの先端に上向き力が作用すると、第２シャッタ板及び第１シャッタ板が上昇してオーガハウジングの前部開口が開かれ、前記上向き力が消失すると自重で、第２シャッタ板及び第１シャッタ板が下降してオーガハウジングの前部開口が閉じられることを特徴とする。
【００１１】
請求項２に係る発明は、第２シャッタ板は、鉛直姿勢から水平姿勢まで回転可能に左レバーの先端と右レバーの先端に設けられていることを特徴とする。
【００１２】
請求項３に係る発明は、左レバー及び右レバーは、オーガハウジングの左壁部及び右壁部から斜め上へ延ばされていることを特徴とする。
【発明の効果】
【００１３】
請求項１に係る発明では、前部シャッタ機構は、左レバー及び右レバーと、左Ｖ字連結リンク及び右Ｖ字連結リンクと、第１シャッタ板と、第２シャッタ板とからなる。除雪機を雪の山に向けて前進させ、左レバー及び右レバーの先端に雪からの上向き力が作用すると、第２シャッタ板及び第１シャッタ板は上昇し、前記上向き力が消失すると自重で、第２シャッタ板及び第１シャッタ板は下降する。そのため、作業者が手動で操作することなく、雪からの上向き力だけでシャッタ板を上昇又は下降させることができる。
【００１４】
請求項１によれば、作業者の手動操作なしにシャッタ板を上昇又は下降させることができる除雪機の前部シャッタ機構を提供することができる。
【００１５】
請求項２に係る発明では、第２シャッタ板は、鉛直姿勢から水平姿勢まで回転可能に左レバーの先端と右レバーの先端に設けた。除雪機を雪の山に向けて前進させると、第２シャッタ板は雪に当たって鉛直姿勢から水平姿勢まで回転する。第２シャッタ板が水平になれば、この第２シャッタ板に上向き力が作用しやすくなり、速やかに第２シャッタ板を上昇させることができる。
【００１６】
請求項３に係る発明では、左レバー及び右レバーは、オーガハウジングの左壁部及び右壁部から斜め上へ延ばした。除雪機を雪の山に向けて前進させると、雪からの上向き力は、斜めに延ばした左レバー及び右レバーに垂直に作用する。加えて、左レバー及び右レバーには水平分力と垂直分力が作用するので、左レバー及び右レバーは、水平である場合に比べて上昇しやすくなる。そのため、左レバー及び右レバーが上昇しやすい除雪機の前部シャッタ機構を提供することができる。
【発明を実施するための最良の形態】
【００１７】
本発明を実施するための最良の形態を添付図に基づいて以下に説明する。なお、以下に説明する「前」、「後」、「左」、「右」は除雪機を操縦する作業者から見た方向を示す。
【００１８】
図１は本発明に係る除雪機の斜視図であり、除雪機１０は、雪上１１を走行するために左右に設けられる走行部１２、１２と、これらの走行部１２、１２で支持されると共に図示せぬ駆動源を内蔵している機体１３と、この機体１３の上部に設けられるカバー１４と、このカバー１４より後方に配置するように機体１３の上部に設けられる操作盤１５と、この操作盤１５より後方に配置するように機体１３の後部に設けられる操作ハンドル１６と、機体１３の前部から前方へ突出するように設けられるブロワ部１７と、このブロワ部１７の左側に設けられるシュータ部１８と、ブロワ部１７の先端部に設けられるオーガハウジング１９と、このオーガハウジング１９に設けられる前部シャッタ機構２０とで構成され、作業者が機体１３の後方で操縦する形式の除雪機である。
【００１９】
図２は図１の２部拡大図であり、前部シャッタ機構２０の左部２１は、オーガハウジング１９の左壁部としての例えば左側板２２の凹部２３に支持板２４を介して固定されるレバー取付平行ピン２５と、このレバー取付平行ピン２５に上下揺動自在に例えば割りピン２６で取付けられると共に前方へ延びている例えばコ字形断面状の左レバー２７と、この左レバー２７の前部２８に例えば筒状のストッパ２９を介して取付けた連結板３１の上端に固定されるリンク前取付平行ピン３２と、レバー取付平行ピン２５より高い部位としての例えばオーガハウジング１９の天板３３の上に当て板３４を介して設けた支持板３５に固定されるリンク後取付平行ピン３６と、このリンク後取付平行ピン３６に後端が回転可能に例えば割りピン２６で取付けられた後リンク３７及びリンク前取付平行ピン３２に前端が回転可能に例えば割りピン２６で取付けられた前リンク３８で構成されると共に、前リンク３８の後端を後リンク３７の前端に固定したリンク連結平行ピン３９に回転可能に例えば割りピン２６で取付けることで前リンク３８と後リンク３７はＶ字を呈し、このＶ字の谷の角度が変更自在である左Ｖ字連結リンク４１と、支持板３５より左方の当て板３４の上に設けた支持板４２に固定されるばね後取付平行ピン４３と、前リンク３８の後部に設けた支持棒４４に固定されるばね前取付平行ピン４５と、このばね前取付平行ピン４５に掛ける前フック４６及びばね後取付平行ピン４３に掛ける後フック４７を備える引張コイルばね４８とからなる。
【００２０】
なお、レバー取付平行ピン２５は、上記では左側板２２の凹部２３に支持板２４を介して設けたが、左側板を平面状にし、この平面の上にレバー取付平行ピン２５を取り付けてもよい。
【００２１】
また、左レバー２７の断面形状は、上記ではコ字形断面を採用したが、長方形断面、ロ字形断面を採用することができるため、他の断面形状に変更することは差し支えない。
そして、ストッパ２９は、上記では筒状としたが、角パイプ状、棒状であってもよい。
【００２２】
さらに、リンク後取付平行ピン３６を支持する支持板３５の取付位置は、上記ではオーガハウジング１９の天板３３の上としたが、オーガハウジング１９の天板３３を前方に延長し、この延長部に取り付けることができるため、他のレバー取付平行ピン２５より高い部位に変更することは差し支えない。
【００２３】
加えて、引張コイルばね４８は、前部シャッタ機構２０を比重の大きな材料で構成したものとして設けたが、前部シャッタ機構２０が比重の小さな材料で構成されるときには設けなくてもよい。
【００２４】
なお、上記では前部シャッタ機構２０の詳細構造を左部２１のみで説明したが、図示せぬ右部の構造は左部２１と同様であるため、右部の説明は省略する。
【００２５】
左Ｖ字連結リンク４１の前リンク３８には、第１シャッタ板４９の左端が取り付けられ、第１シャッタ板４９の右端は、図示せぬ右Ｖ字連結リンクの前リンクに取り付けられる。すなわち、第１シャッタ板４９は、右Ｖ字連結リンクの前リンクと左Ｖ字連結リンク４１の前リンク３８とに水平に渡すように取り付けられる。
【００２６】
また、左レバー２７の先端５１には、左シャッタ取付平行ピン５２が右（図左斜め上）に突出するように取り付けられ、この左シャッタ取付平行ピン５２に第２シャッタ板５３の左端５４が回転可能に例えば割りピン（不図示）で取り付けられ、左端５４から水平に延ばされてなる図示せぬ第２シャッタ板５３の右端は、図示せぬ右レバーの先端に取り付けた右シャッタ取付平行ピンに回転可能に例えば割りピンで取り付けられる。
【００２７】
そして、左レバー２７は、オーガハウジング１９の左側板２２に支持板２４を介して設けたレバー取付平行ピン２５から、水平線５５に対して前方に向かって斜め上へ延ばされていることを特徴とする。この構造は図示せぬ右レバーも同様である。
【００２８】
５６は取付ボルト、５７は座金、５８は第１シャッタ板４９を支えるために前リンク３８に取り付けた支持棒、５９はオーガ軸、６１はオーガ、６２は雪上１１を滑るそり部である。
【００２９】
左レバー２７の先端に上向き力が作用すると、左レバー２７は、レバー取付平行ピン２５を中心として図時計回りに二点鎖線の位置まで回転し、同時に左Ｖ字連結リンク４１は、Ｖ字の谷の角度が小さくなって、前リンク３８と後リンク３７が接近する。これにより、第２シャッタ板５３及び第１シャッタ板４９が上昇してオーガハウジング１９の前部開口６３が開かれる。
【００３０】
また、上向き力が消失すると、左レバー２７は、自重でレバー取付平行ピン２５を中心として図反時計回りに実線の位置まで回転し、同時に左Ｖ字連結リンク４１は、Ｖ字の谷の角度が大きくなって、前リンク３８と後リンク３７が離れる。これにより、第２シャッタ板５３及び第１シャッタ板４９が下降してオーガハウジング１９の前部開口６３が閉じられる。上記作用は図示せぬ右レバーでも得ることができる。
【００３１】
第２シャッタ板５３の下端に向けて、前方から水平力が作用すると、第２シャッタ板５３は、左シャッタ取付平行ピン５２及び右シャッタ取付平行ピンを中心にして図反時計回りに二点鎖線の位置まで回転する。このとき、第２シャッタ板５３は、左レバー２７の前部２８に設けたストッパ２９に当たって、水平姿勢で止まる。
【００３２】
上記水平力が消失すると、第２シャッタ板５３は、自重で左シャッタ取付平行ピン５２及び右シャッタ取付平行ピンを中心にして図時計回りに実線の位置まで回転する。すなわち、第２シャッタ板５３は、鉛直姿勢からストッパ２９に当たって保たれる水平姿勢まで回転可能に左レバー２７の先端５１と右レバーの先端に設けられていることを特徴とする。
以上の構成からなる除雪機の前部シャッタ機構２０の作用を次に説明する。
【００３３】
図３は本発明に係る前部シャッタ機構の除雪前の作用図であり、（ａ）にて、作業者６４はオーガ６１を矢印（１）のように回転させ、除雪機１０を雪の山６５に向けて矢印（２）のように前進させる。その後、雪の山６５に第２シャッタ板５３の下端が接触すると、第２シャッタ板５３は矢印（３）のように回転する。
【００３４】
（ｂ）は前部シャッタ機構２０の拡大図に相当し、除雪機１０をさらに矢印（４）のように雪の山６５に向けて前進させると、第２シャッタ板５３は雪の山６５の上に載り、左レバー２７には雪の山６５を上っていくことで与えられる上向き力が作用する。これにより、左レバー２７が矢印（５）のように図時計回りに回転し、左Ｖ字連結リンク４１の前リンク３８及び後リンク３７が矢印（６）及び（７）のように回転する。
【００３５】
図４は本発明に係る前部シャッタ機構の除雪中及び除雪後の作用図であり、（ａ）にて、除雪機１０を引き続き矢印（８）のように前進させると、左レバー２７並びに左Ｖ字連結リンク４１の前リンク３８及び後リンク３７並びに第２シャッタ板５３が上昇してオーガハウジング１９の前部開口６３が開かれるので、オーガ６１で雪を集め、除雪作業を行うことができる。
【００３６】
（ｂ）にて、除雪作業終了後も除雪機１０を矢印（９）のように前進させると、雪が無くなって上向き力が消失するので、左レバー２７並びに左Ｖ字連結リンク４１の前リンク３８及び後リンク３７並びに第２シャッタ板５３は自重により矢印（１０）のように下降してオーガハウジング１９の前部開口６３が閉じられる。その後、第２シャッタ板５３は矢印（１１）のように回転して二点鎖線で示した水平姿勢から鉛直姿勢に戻る。
【００３７】
前部シャッタ機構２０は、左レバー２７及び右レバーと、左Ｖ字連結リンク４１及び右Ｖ字連結リンクと、第１シャッタ板（図２符号４９）と、第２シャッタ板５３とからなる。除雪機１０を雪の山６５に向けて前進させ、左レバー２７及び右レバーの先端に雪からの上向き力が作用すると、第２シャッタ板５３及び第１シャッタ板は上昇し、上向き力が消失すると自重で、第２シャッタ板５３及び第１シャッタ板は下降する。そのため、作業者が手動で操作することなく、雪からの上向き力だけで第２シャッタ板５３及び第１シャッタ板を上昇又は下降させることができる。
【００３８】
よって、作業者の手動操作なしに第２シャッタ板５３及び第１シャッタ板を上昇又は下降させることができる除雪機１０の前部シャッタ機構２０を提供することができる。
【００３９】
また、第２シャッタ板５３は、鉛直姿勢からストッパ（図２符号２９）に当たって保たれる水平姿勢まで回転可能に左レバー２７の先端と右レバーの先端に設けた。除雪機１０を雪の山６５に向けて前進させると、第２シャッタ板５３は雪に当たって鉛直姿勢から水平姿勢まで回転する。第２シャッタ板５３が水平になれば、この第２シャッタ板５３に上向き力が作用しやすくなり、速やかに第２シャッタ板５３を上昇させることができる。
【００４０】
そして、左レバー２７及び右レバーは、オーガハウジング１９の左側板２２及び右側板から斜め上へ延ばした。除雪機１０を雪の山６５に向けて前進させると、雪からの上向き力は、斜めに延ばした左レバー２７及び右レバーに垂直に作用する。加えて、左レバー２７及び右レバーには水平分力と垂直分力が作用するので、左レバー２７及び右レバーは、水平である場合に比べて上昇しやすくなる。そのため、左レバー２７及び右レバーが上昇しやすい除雪機１０の前部シャッタ機構２０を提供することができる。
【００４１】
尚、本発明に用いられる左レバー、右レバー、左Ｖ字連結リンク、右Ｖ字連結リンク、
第２シャッタ板の取付方法は、実施の形態では平行ピンに割りピンを差し込む方法を採用したが、平行ピンの先端にボルト部を設け、このボルト部にナットをねじ込む方法を採用することができるため、他の取付方法に変更することは差し支えない。
【産業上の利用可能性】
【００４２】
本発明の前部シャッタ機構は、除雪機に好適である。
【図面の簡単な説明】
【００４３】
【図１】本発明に係る除雪機の斜視図である。
【図２】図１の２部拡大図である。
【図３】本発明に係る前部シャッタ機構の除雪前の作用図である。
【図４】本発明に係る前部シャッタ機構の除雪中及び除雪後の作用図である。
【図５】従来の技術の基本構成を説明する図である。
【符号の説明】
【００４４】
１０…除雪機、１９…オーガハウジング、２０…前部シャッタ機構、２２…左側板（左壁部）、２５…レバー取付平行ピン（ピン）、２７…左レバー、２８…左レバーの前部、２９…ストッパ、３２…リンク前取付平行ピン、３３…オーガハウジングの天板（オーガハウジングのピンより高い部位）、３６…リンク後取付平行ピン、３７…後リンク、３８…前リンク、３９…リンク連結平行ピン、４１…左Ｖ字連結リンク、４９…第１シャッタ板、５１…左レバーの先端、５２…左シャッタ取付平行ピン、５３…第２シャッタ板、５５…水平線、６３…オーガハウジングの前部開口。
【図１】
2008285896.tif 000003
【図２】
2008285896.tif 000004
【図３】
2008285896.tif 000005
【図４】
2008285896.tif 000006
【図５】
2008285896.tif 000007